(57)【特許請求の範囲】
【請求項１】
ルートハブが設けられたコンピュータ装置のためのディスプレイ装置であって、
電源を供給するための電源供給部と；
前記ルートハブから電源及び情報を入力するアップストリームポートと、ＵＳＢデバイスに電源供給し情報を伝達するダウンストリームポートと、が接続されるＵＳＢ制御部と；
前記電源供給部への外部電源供給ＯＮ・ＯＦＦを切り替え、そのスイッチ状態信号を発生する電源スイッチと；
前記電源供給部による供給電源の有無および電圧レベルを検出して供給検出信号を出力する電源検出部と；
前記スイッチ状態信号及び前記供給検出信号を論理和する論理回路部と；
前記論理回路部の出力に応答して、前記電源供給部による電源または前記アップストリームポートによるホスト電源を選択するパワースイッチ部と；
前記ダウンストリームポートに提供される電源の過電流状態を検出して検出信号を発生し、これに応答して前記ＵＳＢ制御部から発生される制御信号に従い前記ダウンストリームポートへの電源供給を遮断する過電流検出／遮断部と；
を含むことを特徴とする、ディスプレイ装置。
【請求項２】
前記ディスプレイ装置は、ＣＲＴを含むことを特徴とする、請求項１に記載のディスプレイ装置。
【請求項３】
コンピュータ装置と接続されたケーブルを通じて入力されるディスプレイ駆動情報を受けてビデオ信号に必要なビデオ信号制御信号を出力し、また、スクリーン及びフォーカスを調整するスクリーン制御信号を出力するディスプレイ制御部と；
前記ディスプレイ制御部から出力されたビデオ信号制御信号により、前記ケーブルを通じて入力されるビデオ信号を処理して前記ＣＲＴへ提供するビデオ信号処理部と；
前記スクリーン制御信号により、前記ケーブルを通じて入力される垂直同期信号と水平同期信号を処理して前記ＣＲＴへ提供し、スクリーン及びフォーカスを制御する水平及び垂直同期信号処理部と；
を含むことを特徴とする、請求項２に記載のディスプレイ装置。
【請求項４】
前記ディスプレイ制御部と前記ＵＳＢ制御部とは、Ｉ２ ＣあるいはＵＡＲＴを通じて接続されることを特徴とする、請求項３に記載のディスプレイ装置。
【請求項５】
前記電源供給部は、ＶＥＳＡ(video electronic standard association) のＤＰＭＳ(display power management system) によって制御する方式を採用していることを特徴とする、請求項１に記載のディスプレイ装置。
【発明の詳細な説明】
【０００１】
【発明の属する技術分野】
本発明は、パソコンなどホストに接続して使用するディスプレイ装置に関し、特に、その電源供給制御方法に関するものである。
【０００２】
【従来の技術】
図１に示すように、ホストとしてのコンピュータ装置１０には、ディスプレイ装置１１、キーボード１２、プリンタ１４などが接続されて使用される。このコンピュータ装置１０に適用されるディスプレイ装置１１は、図２に示すように、通常、接続手段としてＤ−ＳｕｂやＢＮＣビデオケーブル１５を通じてコンピュータ装置１０へ接続されている。コンピュータ装置１０は、ケーブル１５を通じてディスプレイ装置１１に、Ｒ・Ｇ・Ｂ及び水平・垂直同期を含むビデオ信号とその他各種の情報を提供する。また、ケーブル１５を通じてディスプレイ装置１１からコンピュータ装置１０へ、動作に従い生じる各種情報が伝送される。
【０００３】
このようにコンピュータ装置１０にはキーボード１０及びディスプレイ装置１１の他にもプリンタ１４など各種の周辺機器を接続可能であるが、周辺機器を多数接続すると、それらとのコネクタ接続が複雑化し、コンピュータ装置にプラグ＆プレイ(plug and play) 機能がなければ接続作業が非常に煩雑になるという問題点がある。これを解決するために多くの提案がなされており、その中の１つが、各パソコンメーカーと周辺機器メーカーが協力して周辺機器接続の通信規約(communication protocol)及びコネクタ構造の標準化方式として制定したＵＳＢ(universal serial bus)である。
【０００４】
このＵＳＢシステムを採用していない従来型のディスプレイ装置について図３及び図４に示してある。
【０００５】
図３に示したディスプレイ装置１１は、電源プラグから電源供給されてディスプレイ回路に必要な各レベルの電圧を出力し、また消費電力を減らすための電源管理機能をもつ電源供給部１６、ビデオ信号処理部１７、水平及び垂直同期信号処理部１８、主制御部としてのディスプレイ制御部１９、及びＣＲＴ２０で構成されている。また、図４に示したディスプレイ装置１１は、図３のディスプレイ回路に、音再生用のオーディオ出力部２３及び音入力用の音入力部２５を加えたものである。オーディオ出力部２３は、ディスプレイ制御部１９から提供されるオーディオ信号を受けて増幅する増幅器２１と、この増幅器２１の出力を受けて再生するスピーカ２２とで構成されており、音入力部２６は、入力音を電気信号に変換するマイク２５と、その出力信号を増幅すると共にマイク入力レベルを調整する増幅及び調整器２４とで構成されている。
【０００６】
これらディスプレイ装置１１に対してはＤ−ＳｕｂあるいはＢＮＣビデオケーブル１５が具備され、そのケーブル１５を通じてビデオ信号及び各種駆動情報がコンピュータ装置１０から伝達される。
【０００７】
このディスプレイ装置１１には他の周辺器機を接続する構造が備えられておらず、プラグ＆プレイ機能を遂行することができない。そのため、コンピュータ装置１０の周辺機器接続が煩雑になるという不具合がある。これを解決する手法として、韓国特許出願９６−１４７９２号のようなディスプレイ装置が提案されている。これを図５に示してある。
【０００８】
このディスプレイ装置１１ａは、電源プラグの電源供給でディスプレイ回路に必要な各レベルの電圧を出力し、また消費電力抑制のための電源管理機能をもつ電源供給部１６、ビデオ信号処理部１７、水平及び垂直同期信号処理部１８、主制御部としてのディスプレイ制御部１９、及びＣＲＴ２０を備え、そしてさらに、ハブシステムが設けられている。
【０００９】
そのハブシステムは、ディスプレイ制御部１９とＩ２  ＣあるいはＵＡＲＴを通じて接続され、コンピュータ装置１０のルートハブを通じて提供される情報に従い制御動作を実行するＵＳＢ制御部６２と、このＵＳＢ制御部６２から提供される制御信号に従い、電源供給部１６による電源をＵＳＢデバイスへ選択的に供給するスイッチ部６４と、入出力ポートＵＰ１，ＤＰ１〜ＤＰ３と、で構成されている。入力ポートＵＰ１はコンピュータ装置１０のルートハブから提供される電源及び情報を入力するアップストリームポートであり、出力ポートＤＰ１〜ＤＰ３はキーボードやオーディオ装置、プリンタなどのＵＳＢデバイスへ電源供給し情報を伝達するダウンストリームポートである。
【００１０】
電源供給部１６は、効率的な節電機能をもち、ＶＥＳＡ(video electronic standard association) のＤＰＭＳ(display power management system) によって制御する方式を採用している。その節電段階は待機、一時停止、電力遮断の３段階としてあり、節電機能遂行中は前面に設けた電源表示燈が、待機、一時停止の段階では約０．５秒間隔、電力遮断段階では約１秒間隔で点滅する。そして、節電実行中にキーボードやマウスの入力装置を操作すると、自動的に節電前の画面状態に復帰する。
【００１１】
通常の電源供給部１６は、ディスプレイ装置１１ａに必要な電源として例えば＋８０Ｖ、＋１５０Ｖ、＋２４Ｖ、＋１２Ｖ、＋５Ｖの電源供給を行う。このうち＋５Ｖ電源がハブシステムにおけるＵＳＢダウンストリームポートＤＰ１〜ＤＰ３の電源に使用され、ＵＳＢ制御部６２による制御信号に従いスイッチングする。また、ハブのアップストリームポートＵＰ１は、図１０に示すようなＵＳＢケーブル用に、Ｖｄｄ、ｄａｔａ＋（Ｄ＋）、ｄａｔａ−（Ｄ−）、ＧＮＤセグメントで構成されている。
【００１２】
ＵＳＢ制御部６２は、コンピュータ装置１０から提供されるデータをアップストリームポートＵＰ１を通じて入力し、そしてダウンストリームポートＤＰ１〜ＤＰ３へ中継(repeater)する機能をもつ。またＵＳＢ制御部６２は、コンピュータ装置１０からディスプレイ装置１１ａの制御信号を受けて分析し、これに対応した情報をＩ２  ＣあるいはＵＡＲＴの通信プロトコルを通じてディスプレイ制御部１９へ伝送する。
【００１３】
図６は、ディスプレイ装置１１ａのＵＳＢ制御部６２において、複数のＵＳＢデバイスに分配した供給電源が定格範囲を越えてＵＳＢダウンストリームポートからＵＳＢデバイスへ提供される場合に、該当ポートを通じた供給電源を遮断するときのフローチャートである。
【００１４】
ＵＳＢ制御部６２は、コンピュータ装置１０から所定の電源供給制御用情報を入力して分析し（段階Ｓ１０）、スイッチ制御信号をマルチプレクサで構成されたスイッチ部６４に提供する（段階Ｓ１１）。これにより、ハブのダウンストリームポートＤＰ１〜ＤＰ３中の該当ポートを指定してスイッチ部６４から電源供給されるようにする（段階Ｓ１２）。つまり、電源供給制御用情報に従ってＵＳＢデバイスへ電源が供給される。
【００１５】
スイッチ部６４からダウンストリームポートＤＰ１〜ＤＰ３を通じてＵＳＢデバイスへ電源供給が行われている間、ＵＳＢ制御部６２は、その電流が過電流限界値を越えないかどうかを監視している（段階Ｓ１３）。万一過電流限界値を越えた場合には、限界超過情報をコンピュータ装置１０へ提供する（段階Ｓ１４）。これに応じるコンピュータ装置１０からパワー割込信号が提供され（段階Ｓ１５）、ＵＳＢ制御部６２はこれに従いハブの該当ダウンストリームポートを通じた電源供給を遮断する（段階Ｓ１６）。
【００１６】
このようにハブシステムをもつディスプレイ装置１１ａは、ハブのダウンストリームポートを通じてキーボード、ライトペン、プリンタなどの周辺機器を接続することが可能で、その周辺器機の電源供給の制御も可能になっている。
【００１７】
図７には、図５に示したディスプレイ装置１１ａの構成に加え、ＵＳＢ制御部６２に、オーディオデコーダであるＤ／Ａコンバータ７０とオーディオエンコーダであるＡ／Ｄコンバータ８０が接続され、スピーカ７２及びマイク８２を使用可能としたディスプレイ装置１１ｂを示してある。図８と図９にはその変形例を示してあり、図８のディスプレイ装置１１ｃは、オーディオデコーダ７０ａ及びオーディオエンコーダ８０ａをＵＳＢ制御部６２ａの内部に設けた例、図９のディスプレイ装置１１ａは、ハブポートＤＰ１，ＤＰ２を通じてスピーカ装置７４及びマイク装置８４を接続した例である。スピーカ装置７４はハブポートＤＰ１に接続されるＵＳＢデバイスコネクタＤＣ６、オーディオデコーダ７０ｂ、スピーカ７２からなり、マイク装置８４はハブポートＤＰ２に接続されるＵＳＢデバイスコネクタＤＣ７、オーディオエンコーダ８０ｂ、マイク８０からなる。
【００１８】
【発明が解決しようとする課題】
上記のような各ディスプレイ装置においては、電源供給部１６による電源が遮断される場合、例えば、ディスプレイ装置の電源スイッチＯＦＦがあったときや、電源供給部１６の節電モードのときに、電源供給部１６あるいはハブポートＵＰ１から提供される電源も切られることになり、ハブポートＤＰ１〜ＤＰ３を通じて接続されているＵＳＢデバイスでも電源ＯＦＦが発生するという解決課題がある。
【００１９】
本発明はこの課題を解決するもので、ディスプレイ装置で何らかの電源ＯＦＦがあっても、接続されているＵＳＢデバイスへの電源供給は確保して作動状態を維持させることのできる電源供給の手法を提供する。またあわせて、ＵＳＢデバイスへの供給電源が定格範囲を越える場合には該当ポートの電源供給を遮断する制御を装置内部の判断で行え、ＵＳＢデバイスを保護することのできるディスプレイ装置を提供する。
【００２０】
【課題を解決するための手段】
本発明では、ディスプレイ装置内の電源供給部による電源供給がなくなった場合に、ホストに接続されたハブポートを通じて提供されるホスト電源によってＵＳＢデバイスを作動させる構成とする。すなわち本発明によれば、ＵＳＢハブを備えて周辺機器を接続可能としたディスプレイ装置の電源供給制御方法において、装置内電源供給部による電源供給が行われない場合に、ホストと接続されたハブポートによるホスト電源をＵＳＢ制御部及び周辺機器を接続したハブポートへ供給するようにしたことを特徴とする。そして、周辺機器を接続したハブポートへ供給される電源の過電流を検出して限界値を越える場合に該ハブポートへの電源供給を遮断する制御としておくとなおよい。
【００２１】
また本発明では、ホストと接続されるハブポート及び周辺機器と接続されるハブポートをもつＵＳＢハブを備えたディスプレイ装置において、電源供給部への外部電源供給のオンオフ状態を示すスイッチ状態信号を出力する電源スイッチと、そのスイッチ状態信号に応答して、前記電源供給部による電源又はホストと接続されたハブポートによるホスト電源を選択し、ＵＳＢ制御部及び周辺機器と接続されたハブポートへ送るパワースイッチ部と、を備えることを特徴とする。
【００２２】
あるいは、ホストと接続されるハブポート及び周辺機器と接続されるハブポートをもつＵＳＢハブを備えたディスプレイ装置において、電源供給部による供給電源の状態を検出して供給検出信号を出力する電源検出部と、その供給検出信号に応答して、前記電源供給部による電源又はホストと接続されたハブポートによるホスト電源を選択し、ＵＳＢ制御部及び周辺機器と接続されたハブポートへ送るパワースイッチ部と、を備えることを特徴とする。
【００２３】
あるいはまた、ホストと接続されるハブポート及び周辺機器と接続されるハブポートをもつＵＳＢハブを備えたディスプレイ装置において、電源供給部への外部電源供給のオンオフ状態を示すスイッチ状態信号を出力する電源スイッチと、前記電源供給部による供給電源の状態を検出して供給検出信号を出力する電源検出部と、これらスイッチ状態信号及び供給検出信号を論理演算する論理回路部と、この論理回路部の出力に応答して、前記電源供給部による電源又はホストと接続されたハブポートによるホスト電源を選択し、ＵＳＢ制御部及び周辺機器と接続されたハブポートへ送るパワースイッチ部と、を備えることを特徴とする。その論理回路部はスイッチ状態信号及び供給検出信号を論理和演算するＯＲゲートとしておけば簡単な構成ですむ。
【００２４】
これらディスプレイ装置では、周辺機器と接続されたハブポートへ提供される電源の過電流状態を検出し、該検出結果に従うＵＳＢ制御部の制御で該ハブポートの電源供給を遮断する過電流検出／遮断部を備えるとなおよい。
【００２５】
さらに本発明によれば、周辺機器と接続されるハブポートをもつＵＳＢハブを備えたディスプレイ装置において、周辺機器と接続されたハブポートへ提供される電源の過電流状態を検出し、該検出結果に従うＵＳＢ制御部の制御で該ハブポートの電源供給を遮断する過電流検出／遮断部を備えることを特徴とする。
【００２６】
【発明の実施の形態】
以下、本発明の実施形態につき図１０〜図１８を参照して説明する。
【００２７】
図１４に詳細を示してあるように、この例のディスプレイ装置１１ａは、ハブシステムを備えて周辺器機（ＵＳＢデバイス）を接続することができるようになっており、そして、内部の電源供給部１６による電源供給、又は、コンピュータ装置（ホスト）とのハブポートＵＰ１を通じた電源供給を、電源供給部１６の電源供給状態に応じて選択し、ＵＳＢ制御部６２、ＵＳＢデバイスへ供給する。したがって、電源供給部１６による電源供給が遮断された場合でも、ホストから提供される電源によってＵＳＢデバイスを作動させることができるようになっている。
【００２８】
ＵＳＢは、図１０に示すように、４本のケーブルを通じて信号と電源を伝送する。なわちＵＳＢケーブル３０は、信号伝送用の２つのラインＤ＋，Ｄ−と、電源供給用の２つのラインＶＢｕｓ，ＧＮＤで構成されている。その信号伝送には２つのモードがあり、１つは１２ＭｂｓのＵＳＢフルスピード信号伝送ビットレートモード、もう１つは１．５Ｍｂｓの限界能力低速信号伝送モード(limited capability low speed signaling mode) である。理論的には図１０のようなＵＳＢケーブル３０を通じて接続可能な周辺機器数は１２７あり、ＵＳＢケーブルを効果的に利用するために多数のＵＳＢ拡張コネクタが使用される。このようなＵＳＢケーブル拡張で提案されたのがＵＳＢハブである。
【００２９】
ＵＳＢハブは、図１１に示すように、１つのアップストリームポート(Up-Stream Port)を通じてアップストリームデータを入力し、複数のダウンストリームポートＰｏｒｔ  １〜  ７へ中継し、そして内蔵コントローラによってダウンストリーム側の電源を制御したり、通信速度を制御する。このＵＳＢハブを使用すれば電源分配及び電源管理をすることができる。ＵＳＢを通じた電源分配では、ＵＳＢを通じてホストから供給される電源をＵＳＢデバイへどのように分配するかを制御することができ、その電源管理のＵＳＢソフト及びハードは、ホストにある電源管理システムに合せることができる。
【００３０】
電源分配(power distrlbution)により各ＵＳＢセグメントはケーブルを通じ限界電源を供給する。ホストは直接、接続されているＵＳＢハブへ使用電源を供給する。また、ＵＳＢハブ自信が電源供給装置をもつ場合もある。ケーブルを通じて電源供給を受けるＵＳＢハブはバス電源タイプと言え、内蔵電源をもつＵＳＢハブは自己電源タイプと言える。またハブは、自分に接続されているＵＳＢハブへ電源を供給する。一般的にＵＳＢホストはＵＳＢハブとは別途の電源管理システムを持っている。
【００３１】
図１２に示すように、ハブ４０は、ハブコントローラ４４とハブリピータ４２とをもつ。ハブリピータ４２は、アップストリームポート４６とダウンストリームポート４８−１，４８−２，…，４８−ｎとの間にあるプロトコル制御スイッチであり、また、リセット、サスペンド(suspend) ／リズーム(resume)信号伝送のためのハードウェア支援機能をもつ。コントローラ４４は、ホストとの間の通信を可能にするインタフェースレジスタを提供する。
【００３２】
図１３は、ディスプレイ装置１１ａに図１２のハブ４０を使用して周辺機器接続能力を提供した一例を示している。
【００３３】
コンピュータ装置１０には２つのルートハブ(root hub)ＲＨ１，ＲＨ２が設けられており、その一方のルートハブＲＨ２はＵＳＢケーブルを通じてＵＳＢデバイスコネクタＤＣ１をもつ電話機５１と接続されている。したがって、このルートハブＲＨ２は通信用ハブとして使用される。そして、他方のルートハブＲＨ１は、ディスプレイ装置１１ａに設けられたハブのアップストリームポートＵＰ１と接続されている。
【００３４】
ディスプレイ装置１１ａにあるハブは自己電源タイプで、該ハブに接続されたＵＳＢデバイスに電源供給することができる。そして、このハブのダウンストリームポートＤＰ１，ＤＰ２にはＵＳＢデバイスコネクタＤＣ１，ＤＣ３を通じてオーディオ装置２３及びプリンタ１４が接続されており、ダウンストリームポートＤＰ３は、キーボード１２に設けられているハブのアップストリームポートＵＰ２を通じてキーボード１２と接続されている。キーボード１２のハブはバス電源タイプで、ＵＳＢケーブルを通じてＵＳＢデバイスのペン５２及びマウス５３に電源を供給する。すなわちキーボード１２のハブは、ダウンストリームポートＤＰ４，ＤＰ５をペン５２のＵＳＢデバイスコネクタＤＣ４及びマウス５３のＵＳＢデバイスコネクタＤＣ５に接続してある。
【００３５】
以上のディスプレイ装置１１ａは、ＵＳＢデバイスへ電源供給するハブコントローラを備えているので、周辺機器をディスプレイ装置１１ａに直接接続して使用することが可能で、プラグ＆プレー機能を遂行することができる。
【００３６】
図１４に示すディスプレイ制御部１９は、コンピュータ装置１０と接続されたケーブル１５を通じて入力されるディスプレイ駆動情報を受けてビデオ信号に必要な制御信号Ｃｖ１〜Ｃｖｎ、すなわち、映像調整用信号、ＲＧＢ駆動用信号、ＲＧＢカットオフ調整用信号を出力し、また、スクリーン及びフォーカスを調整する制御信号Ｃｓ１−Ｃｓｍを出力する。ビデオ信号処理部１７は、ディスプレイ制御部１９から出力された制御信号Ｃｖ１〜Ｃｖｎにより、ケーブル１５を通じて入力されるＲＧＢビデオ信号を処理してＣＲＴ２０へ提供する。水平及び垂直同期信号処理部１８は、制御信号Ｃｓ１〜Ｃｓｍにより、ケーブル１５を通じて入される垂直同期信号Ｖｓｙｎｃと水平同期信号Ｈｓｙｎｃを処理してＣＲＴ２０へ提供し、スクリーン及びフォーカスを制御する。この水平及び垂直同期信号処理部１８はよく知られているように、水平位置、水平サイズ、垂直位置、垂直サイズ、サイドピンクッション(side pincushion) 、チルト(tilt)、ピンバランス(pin balance) 、上下(top/bottom)コーナー補整を制御する機能をもつ。
【００３７】
この例のディスプレイ装置１１ａに適用されたハブシステムは、図１４に示すように、ディスプレイ制御部１９とＩ２  ＣあるいはＵＡＲＴを通じて接続され、コンピュータ装置１０のルートハブＲＨ１を通じて提供される情報に従い制御を実行するＵＳＢ制御部（コントローラ）６２をもち、このＵＳＢ制御部６２にハブポートＵＰ１，ＤＰ１〜ＤＰ３がつながっている。入力ハブポートＵＰ１がコンピュータ装置１０のルートハブＲＨ１から電源及び情報を入力するアップストリームポートであり、出力ハブポートＤＰ１〜ＤＰ３がキーボード１２、オーディオ装置２３、プリンタ１４のＵＳＢデバイスに電源供給し情報を伝達するダウンストリームポートである。
【００３８】
加えてディスプレイ装置１１ａは、電源プラグによる電源供給部１６への外部電源供給ＯＮ・ＯＦＦを切り換え、そのスイッチ状態信号を発生する電源スイッチ９１と、電源供給部１６による供給電源の有無や電圧レベルを検出して供給検出信号を出力する電源検出部９２と、これらスイッチ状態信号及び供給検出信号を論理和する論理回路部９３と、この論理回路部９３の出力に応答して、電源供給部１６による電源とハブポートＵＰ１によるホスト電源とを選択するパワースイッチ部９４と、ハブポートＤＰ１〜ＤＰ３に提供される電源の過電流状態を検出して検出信号ＣＤ１〜ＣＤ３を発生し、これに応答してＵＳＢ制御部６２から発生される制御信号ＣＳ１〜ＣＳ３に従いハブポートＤＰ１〜ＤＰ３への電源供給を遮断する過電流検出／遮断部９５〜９７と、を備えている。
【００３９】
電源スイッチ９１は外部電源の供給状態を感知するため、そして、電源検出部９２は電源供給部１６の節電モードを感知するために設けられている。これらはいずれか一方のみでもよいが、両方もっている方が好ましいことはもちろんである。
【００４０】
電源供給部１６は従来同様のもので、ディスプレイ装置１１ａに必要な＋８０Ｖ、＋１５０Ｖ、＋２４Ｖ、＋１２Ｖ、＋５Ｖなどの電源供給をＵＳＢ制御部６２の制御信号に従い行う。このうち＋５Ｖ電源がＵＳＢダウンストリームポートの電源に使用される。また、アップストリームポートＵＰ１は、図１０に図示のＵＳＢケーブル３０のように、Ｖｄｄ、ｄａｔａ＋（Ｄ＋）、ｄａｔａ−（Ｄ−）、ＧＮＤセグメントで構成されている。
【００４１】
ＵＳＢ制御部６２は、コンピュータ装置１０から提供されるデータをアップストリームポートＵＰ１を通じて入力し、そしてダウンストリームポートＤＰ１〜ＤＰ３に中継する機能をもつ。また、コンピュータ装置１０からのディスプレイ制御信号を貯蔵し分析して、これに対応した情報をＩ２  ＣあるいはＵＡＲＴの通信プロトコルを通じてディスプレイ制御部１９へ伝送する。
【００４２】
この実施形態のディスプレイ装置１１ａは、ハブのダウンストリームポートＤＰ１〜ＤＰ３を通じてキーボード、ライトペン、プリンタなどの周辺機器を接続することができ、内装されたハブシステムを通じて周辺器機への電源供給を制御すると共に過電流を感知して電源供給遮断により保護することが可能である。すなわち、電源ＯＦＦなどで電源供給部１６による電源供給がなくなると、論理回路部９３の出力によりパワースイッチ部９４がスイッチし、アップストリームポートＵＰ１から提供されるホスト電源がＵＳＢ制御部６２及びダウンストリームポートＤＰ１〜ＤＰ３へ供給されるので、ディスプレイ装置１１ａがＯＦＦの状態にあっても周辺機器を使用することができる。また、電源に過電流が発生する場合には過電流検出／遮断部９５〜９７により検出されてダウンストリームポートＤＰ１〜ＤＰ３への電源供給がカットオフされ、ＵＳＢデバイスの保護が行われる。
【００４３】
図１５に示す例のディスプレイ装置１１ｂは、図１４に示したディスプレイ装置１１ａの構成に加え、ＵＳＢ制御部６２に、オーディオデコーダであるＤ／Ａコンバータ７０とオーディオエンコーダであるＡ／Ｄコンバータ８０が接続され、スピーカ７２及びマイク８２を使用可能としたものである。この例のＵＳＢ制御部６２では、ダウンストリームポートＤＰ１〜ＤＰ３中の１つに接続されているオーディオシステムによるディジタルオーディオ信号をオーディオデコーダ７０に提供したり、あるいはコンピュータ装置１０からアップストリームポートＵＰ１を通じて提供されるディジタルオーディオ信号をオーディオデコーダ７０に提供することが可能である。オーディオデコーダ７０は、ディジタルオーディオ信号をアナログ変換してスピーカ７２へ伝達する。また、ＵＳＢ制御部６２は、マイク８２から入力される音信号をオーディオエンコーダ８０を介しディジタル変換して受け、ダウンストリームポートＤＰ１〜ＤＰ３からオーディオシステムへ提供したり、あるいはアップストリームポートＵＰ１からコンピュータ装置１０へ提供する。
【００４４】
図１６に示す例のディスプレイ装置１１ｃは、オーディオデコーダ７０ａ及びオーディオエンコーダ８０ａをＵＳＢ制御部６２ａの内部に設けた例である。この例のＵＳＢ制御部６２では、ダウンストリームポートＤＰ１〜ＤＰ３中の１つに接続されているオーディオシステムによるディジタルオーディオ信号をオーディオデコーダ７０ａに提供したり、あるいはコンピュータ装置１０からアップストリームポートＵＰ１を通じて提供されるディジタルオーディオ信号をオーディオデコーダ７０ａに提供することが可能である。オーディオデコーダ７０ａは、ディジタルオーディオ信号をアナログ変換してスピーカ７２へ伝達する。また、ＵＳＢ制御部６２は、マイク８２から入力される音信号をオーディオエンコーダ８０ａを介しディジタル変換して受け、ダウンストリームポートＤＰ１〜ＤＰ３からオーディオシステムへ提供したり、あるいはアップストリームポートＵＰ１からコンピュータ装置１０へ提供する。
【００４５】
図１７に示す例のディスプレイ装置１１ａは、ハブポートＤＰ１，ＤＰ２を通じてスピーカ装置７４及びマイク装置８４を接続した例である。スピーカ装置７４はハブポートＤＰ１に接続されるＵＳＢデバイスコネクタＤＣ６、オーディオデコーダ７０ｂ、スピーカ７２からなり、マイク装置８４はハブポートＤＰ２に接続されるＵＳＢデバイスコネクタＤＣ７、オーディオエンコーダ８０ｂ、マイク８０からなる。ダウンストリームポートＤＰ１に接続されているスピーカ装置７４は、ＵＳＢ制御部６２から提供されるディジタル音信号ＵＳＢをデバイスコネクタＤＣ６を通じて入力し、これをオーディオデコーダ７０ｂでアナログ変換してからスピーカ７２を通じ出力する。ダウンストリームポートＤＰ２に接続されているマイク装置８４は、マイク８２から提供される電気信号をオーディオエンコーダ８０ｂでディジタル変換し、これをＵＳＢデバイスコネクタＤＣ７からＵＳＢ制御部６２へ提供する。
【００４６】
【発明の効果】
本発明のディスプレイ装置によれば、ディスプレイ装置内の電源供給部による電源供給が遮断されても、ホストに接続されたハブポートを通じて提供されるホスト電源によってＵＳＢデバイスを作動させることができる。従って、ディスプレイ装置がスイッチＯＦＦされていても、あるいは節電モード実行中にあってもＵＳＢデバイスは継続動作することが可能である。また、ディスプレイ装置に接続されたＵＳＢデバイスへ供給する電源が定格範囲を超過する場合は、これを検出して該当ポートの電源供給を遮断するので、ＵＳＢデバイスを保護することができる。
【図面の簡単な説明】
【図１】パソコンの斜視図。
【図２】パソコン本体とディスプレイ装置のＤ−ＳｕｂあるいはＢＮＣビデオケーブルによる接続状態を示した側面図。
【図３】従来のディスプレイ装置の内部構成を示したブロック図。
【図４】スピーカ及びマイク装置をもつ従来のディスプレイ装置の内部構成を示したブロック図。
【図５】ＵＳＢハブをもつ従来のディスプレイ装置の内部構成を示したブロック図。
【図６】図５中のＵＳＢ制御部による電源供給制御過程を説明するフローチャート。
【図７】スピーカ及びマイク装置を備え、ＵＳＢハブをもつ従来のディスプレイ装置の内部構成を示したブロック図。
【図８】スピーカ及びマイク装置を備え、ＵＳＢハブをもつ従来のディスプレイ装置の内部構成の他の例を示したブロック図。
【図９】スピーカ及びマイク装置を備え、ＵＳＢハブをもつ従来のディスプレイ装置の内部構成の他の例を示したブロック図。
【図１０】ＵＳＢケーブルの構造を示した説明図。
【図１１】ＵＳＢハブの外観図。
【図１２】図１１に示したＵＳＢハブの内部構造を説明するブロック図。
【図１３】ＵＳＢハブを通じてディスプレイ装置に周辺機器を接続した例を示したブロック図。
【図１４】本発明によるディスプレイ装置の内部構成を示したブロック図。
【図１５】スピーカ及びマイク装置を備えた本発明によるディスプレイ装置の内部構成を示したブロック図。
【図１６】スピーカ及びマイク装置を備えた本発明によるディスプレイ装置の他の例の内部構成を示したブロック図。
【図１７】スピーカ及びマイク装置を備えた本発明によるディスプレイ装置の他の例の内部構成を示したブロック図。
【符号の説明】
１０  コンピュータ装置
１１ａ，１１ｂ，１１ｃ  ディスプレイ装置
１２  キーボード
１４  プリンタ
１５  Ｄ−Ｓｕｂ（ＢＮＣ）ケーブル
１６  電源供給部
１７  ビデオ信号処理部
１８  水平＆垂直同期信号処理部
１９  ディスプレイ制御部
２０  ＣＲＴ
３０  ＵＳＢケーブル
４０  ＵＳＢハブ
４２  ハブリピータ
４４  ハブコントローラ
５１  電話機
５２  ライトペン
５３  マウス
ＲＨ１，ＲＨ２  ルートハブ
ＵＰ１，ＵＰ２  アップストリームポート
ＤＰ１，ＤＰ２，ＤＰ３  ダウンストリームポート
６２  ＵＳＢ制御部
９１  電源スイッチ
９２  電源検出部
９３  論理回路部
９４  パワースイッチ部
９５，９６，９７  過電流検出／遮断部
【図１】
0003790611.tif 000002
【図２】
0003790611.tif 000003
【図３】
0003790611.tif 000004
【図４】
0003790611.tif 000005
【図５】
0003790611.tif 000006
【図６】
0003790611.tif 000007
【図７】
0003790611.tif 000008
【図８】
0003790611.tif 000009
【図９】
0003790611.tif 000010
【図１０】
0003790611.tif 000011
【図１１】
0003790611.tif 000012
【図１２】
0003790611.tif 000013
【図１３】
0003790611.tif 000014
【図１４】
0003790611.tif 000015
【図１５】
0003790611.tif 000016
【図１６】
0003790611.tif 000017
【図１７】
0003790611.tif 000018